【手続補正書】
【提出日】平成16年8月10日(2004.8.10)
【手続補正１】
【補正対象書類名】明細書
【補正対象項目名】全文
【補正方法】変更
【補正の内容】
【書類名】        明細書
【発明の名称】    水田作業機
【特許請求の範囲】
【請求項１】  下端部に機体への取り付けブラケットを固着したパイプ状の操作アームを、左右向き軸芯周りでの揺動により機体前方に倒伏延出した作用姿勢と起立した格納姿勢とに切り換え自在に機体に取り付け、
左右向き軸芯周りでの揺動により起立した作用姿勢と倒立した格納姿勢とに切り換え自在な中央指標具を、前記操作アームの上端に備えて、
前記操作アームの下端開口から操作アーム内に導入された電線に接続される電球を光源とする点灯式表示部を、前記中央指標具に備えてある水田作業機。
【請求項２】  機体の前部に取り付けたロープ掛けに接当することで前記操作アームの作用姿勢を越えた下方への揺動を阻止するストッパー部を、前記取り付けブラケットに形成してある請求項１に記載の水田作業機。
【請求項３】  上下中間部において後方に突出する湾曲部を、前記操作アームに形成してある請求項１又は２に記載の水田作業機。
【請求項４】  格納姿勢においてボンネットの前部に側面視において重なるように、前記操作アームを機体に取り付けてある請求項１〜３のうちのいずれか一つに記載の水田作業機。
【発明の詳細な説明】
【０００１】
【発明の属する技術分野】
本発明は、田植機などの水田作業機に関する。
【０００２】
【従来の技術】
【０００３】
この種の水田作業機では、機体の前部に左右向き軸芯周りでの揺動により機体前方に倒伏延出した作用姿勢と起立した格納姿勢とに切り換え自在な操作アームを取り付け、この操作アームの格納姿勢での上端に、左右向き軸芯周りでの揺動により起立した作用姿勢と倒立した格納姿勢とに切り換え自在で電球を光源とする点灯表示部を装備した中央指標具を装着する構成が多々採用される。そのような場合、従来では、点灯表示部の電球に対する電線を操作アームの外側に沿わせて配置していた。
【０００４】
【０００５】
【発明が解決しようとする課題】
しかし、上記従来の技術によるときは次のような欠点があった。
【０００６】
【０００７】
従来の技術によるときは、操作アームの外側に沿わせて電線を配置してあるから、操作アームを作用姿勢に切り換えて操作する場合、電線に引っ掛かるおそれがあって操作アームの操作性を悪化させていた。
【０００８】
【０００９】
本発明の目的は、上記従来の欠点を解消する点にある。
【００１０】
【課題を解決するための手段】
請求項１に係る本発明による水田作業機の特徴・作用・効果は次の通りである。
【００１１】
【００１２】
【００１３】
【００１４】
【００１５】
［特徴］
請求項１に係る本発明は、下端部に機体への取り付けブラケットを固着したパイプ状の操作アームを、左右向き軸芯周りでの揺動により機体前方に倒伏延出した作用姿勢と起立した格納姿勢とに切り換え自在に機体に取り付けている。左右向き軸芯周りでの揺動により起立した作用姿勢と倒立した格納姿勢とに切り換え自在な中央指標具を、操作アームの上端に備えている。操作アームの下端開口から操作アーム内に導入された電線に接続される電球を光源とする点灯式表示部を中央指標具に備えている。
【００１６】
［作用］
請求項１に係る本発明によると、操作アームをパイプ材から構成し、その操作アームに機体への取り付けブラケットを固着することにより、操作アームの下端開口を開放したものとして、その下端開口から点灯式表示部の電球への電線を操作アーム内を通すようにしてあるから、操作アームを操作する際、電線が邪魔にならない。
【００１７】
［効果］
従って、請求項１に係る本発明によると、電球を光源とする点灯式表示部を操作アームの上端に設けた中央指標具に組み込みながらも、操作アームの操作性を良好に保持できるようになった。
【００１８】
【００１９】
【００２０】
【００２１】
【００２２】
【発明の実施の形態】
水田作業機の一例である乗用型田植機は、図１、図２に示すように、自走機体１の後部に水田作業装置の一例である複数条植え式の苗植付け装置２をリンク機構３を介して昇降自在に連結し、圧油供給に伴い前記苗植付け装置２を上昇させかつ排油に伴い自重で下降させる油圧シリンダ利用のリフトシリンダ４を設けて構成されている。
【００２３】
前記自走機体１は、左右一対の操向用の駆動前輪５と左右一対の駆動後輪６とを備えた機体フレーム７の前部にボンネット８で覆われたエンジン９と前記駆動前輪５に対する丸型の操作用のステアリングハンドル１０とを配設し、機体フレーム７の後部に運転座席１１と施肥ホッパー１２とこのホッパー１２から繰り出された肥料を圧送するための気流を発生させる電動式のブロワー１３とを配設して構成されている。自走機体１は、前輪フェンダーを兼用する搭乗ステップ１４と後輪フェンダー１５とを備えている。前記搭乗ステップ１４のうちエンジン９の左右両側に位置して前輪フェンダーを構成する部分は、機体前方部に対する乗降用のステップとして構成されている。
【００２４】
前記苗植付け装置２は、植付け走行に伴い圃場面を滑走して圃場面を整地する接地フロート２４と、複数枚のマット苗を左右方向に並べる状態で載置可能で左右方向に設定ストロークで往復駆動移動させられる苗のせ台２５と、この苗のせ台２５の移動に連動して苗のせ台２５下端の苗取り出し口と前記接地フロート２４による整地圃場面との間で循環作動することにより苗のせ台２５上のマット苗を植付け単位量づつ取り出して整地圃場面に植え付ける植付け機構２６とを有する。そして、植付け走行に伴い圃場面に施肥用の溝を形成するとともに自走機体１からホース２７を介して圧送されてくる肥料を溝に供給する作溝器２８を備えている。
【００２５】
そして、前記施肥ホッパー１２、ブロワー１３、ホース２７、作溝器２８から施肥装置が構成されている。
【００２６】
前記機体フレーム７は、図３に示すように、前記エンジン９によりベルト伝動装置１６を介して駆動される前後進切り換え自在な静油圧式の無段変速装置１７の出力を走行部（駆動前輪５と駆動後輪６）と前記苗植付け装置２とに分配するミッションケース１８と、これの前部に固定連結したエンジン搭載フレーム１９と、前記ミッションケース１８の後部に固定連結されて運転座席１１や前記後輪フェンダー１５などを支持する左右一対の後部フレーム２０とから構成されている。１７ａは、前記ステアリングハンドル１０よりも左右外方に突出する状態に設けた前記無段変速装置１７の操作レバーである。また、４２は、前記苗植付け装置２の昇降及び植付け作動を関連して司る昇降作業レバーであって、これも前記操作レバー１７ａと同様に、ステアリングハンドル１０よりも左右外方に突出する状態に設けられている。
【００２７】
前記駆動前輪５のそれぞれは、それらへの伝動機構を内装した左右の前車軸ケース２１それぞれを介して前記ミッションケース１８に支持されている。
【００２８】
前記駆動後輪６のそれぞれは、それらへのチェーン伝動機構を内装する状態で前部支点Ｒ周りに上下揺動自在な左右のスイングケース２２それぞれを介して前記ミッションケース１８に格別に上下動自在に支持されている。なお、各スイングケース２２と前記後部フレーム２０との間には、スイングケース２２を下方に揺動付勢するサスペンションスプリング２３が介装されている。
【００２９】
前記ステアリングハンドル１０は、ハンドルポスト２９に支持されており、このハンドルポスト２９は、前記ミッションケース１８の上部に取り付けた操向操作力増大用のトルクジェネレータ３０上に立設されている。
【００３０】
前記エンジン９及びその上部に位置する燃料タンク３３とを収容するエンジンルームのうち後ろ側上面部のステアリングハンドル１０のステアリング軸３１周りの部分は、図４及び図５に示すように、前記ステアリングハンドル１０の下方に位置する状態でハンドルポスト２９の上部を覆う用に位置するポストカバー３２で覆われており、前記エンジンルームのうち前側部と後ろ側上部のポストカバー３２を除く部分とは前記のボンネット８で覆われており、エンジンルームの後ろ側下部は後部カバー３４で覆われている。
【００３１】
前記ボンネット８は、図６に示すように、後部支点ｘ周りで上方に揺動開放自在に前記ハンドルポスト２９に取り付けられており、図７、図８に示すように、前記ハンドルポスト２９に固着した支点軸３５を挿通させるようにボンネット８に一体形成の軸孔部材３６には、ボンネット８の開放状態での後方斜め上方への移動に伴う外側と軸孔３７との間での支点軸３５の相対移動を許容する、つまり、図９に示すように、その移動でボンネット８の離脱を許容する支点軸通路３８が形成されている。かつ、前記ボンネット８の左右両側面には、前方及び左右の乗降用のステップに光を照射する左右一対の前照灯４５が組み込まれている。
【００３２】
前記ポストカバー３２のうち前記ステアリング軸３１よりも後方に配置するパネル部３９には、スタータスイッチ４０と指示パネル４１のみが設置されており、ポストカバー３２のうち左右一側の一段下がった部分には、前照灯スイッチ４３と警報停止スイッチ４４とが設置されている。前記指示パネル４１は、前記苗のせ台２５上の苗が設定以上消費されたことや苗植付け装置２への伝動系に介装した植付けクラッチが入れ忘れていることなどを指示するものである。
【００３３】
前記後部カバー３４は、図１０にも示すように、下端に突設の複数の爪３４ａを搭乗ステップ１４に形成の孔１４ａそれぞれに弾性係合させることで取り付けられており、上方に持ち上げて弾性係合を解除した状態で後方に抜き出し離脱可能で、離脱状態でエンジンルームの後ろ側下部を開放するように構成されている。
【００３４】
田植機は、図１１に示すように、左右向き軸芯ｘ１周りでの揺動により、自走機体１よりも前方に倒伏延出する作用姿勢と起立引退する格納姿勢とに切り換え自在で格納姿勢において前記ボンネット８の前部に側面視で重なる状態の機体前部操作用の操作アーム４６を装備している。
【００３５】
前記操作アーム４６は、図１２に示すように、ほぼコの字形に折り曲げ形成したパイプ状のもので前記ボンネット８の左右幅内に納まるものであって、両端部、つまり、格納姿勢での下端部のそれぞれには、前記エンジン搭載フレーム１９へのボルト４７による板状の取り付けブラケット４８が固着されている。
【００３６】
前記操作アーム４６には、格納姿勢での上下中間部において後方に突出する湾曲部４９が形成され、また、格納姿勢での左右向き姿勢の上端部には、左右向き軸芯ｘ２周りでの揺動により起立姿勢と倒立した格納姿勢とに切り換え自在な中央指標具５０が装着されている。この中央指標具５０には、図１３に示すように、前記操作アーム４６の下端開口４６ａから導入された電線５１に接続する電球５２を光源とする点灯式表示部５３が起立姿勢での上端に位置する状態で装備されている。点灯式表示部５３は、前記苗植付け装置２の苗のせ台２５上の苗が設定量以上消費された苗切れが苗センサで検出されたときや、植付けクラッチの入れ忘れがあったときなど、前記指示パネル４１による各種の指示表示が行われたときに点滅するものである。
【００３７】
前記取り付けブラケット４８には、図１３の（イ）（ロ）に示すように、エンジン搭載フレーム１９に固着したロープ掛け５４に接当することで操作アーム４６の作用姿勢を越えた下方への揺動を阻止する作用姿勢維持用のストッパー部５５と、同様にロープ掛け５４に接当することで操作アーム４６の格納姿勢を越えた後方への揺動を阻止する格納姿勢維持用のストッパー部５６とが形成されている。
【図面の簡単な説明】
【図１】
田植機全体の側面図
【図２】
田植機全体の平面図
【図３】
ボンネット外し状態の要部の側面図
【図４】
要部の側面図
【図５】
要部の平面図
【図６】
ボンネット開放状態の要部の側面図
【図７】
ボンネット取り付け部の縦断側面図
【図８】
ボンネット取り付け部の横断平面図
【図９】
ボンネット外し状態の側面図
【図１０】
搭乗ステップ要部の平面図
【図１１】
操作アームを作用姿勢にさせた状態の要部の側面図
【図１２】
要部の正面図
【図１３】
操作アーム取り付け部の動作を示す切り欠き側面図
【符号の説明】
４８          取り付けブラケット
４６          操作アーム
ｘ１          左右向き軸芯
５４          ロープ掛け
５５          ストッパー部
４９          湾曲部
ｘ２          左右向き軸芯
５０          中央指標具
４６ａ        下端開口
５１          電線
５２          電球
５３          点灯式表示部